(57)【要約】【課題】  無線通信を利用したセキュリティシステムなどにおいて、家電機器とメインコントローラとの情報通信を円滑に行うことのできる家電コントローラを実現する。【解決手段】  家電コントローラ３１は、外部ネットワークを介して携帯電話機と通信可能なメインコントローラ２５と、所定の管理領域内に配置されたセンサと、メインコントローラ２５によって管理されるエアコン４１ａ等とが無線接続されており、センサの検知結果あるいは携帯電話機から入力された操作情報に基づいて、メインコントローラ２５がエアコン４１ａ等を制御することが可能なセキュリティシステムにおいて利用される。家電コントローラ３１は、メインコントローラ２５と特定小電力によって無線通信を行う特定小電力通信部３２と、特定小電力通信部３２が受信した情報に基づいて、エアコン４１ａ等に対して赤外線を照射してエアコン４１ａ等を操作する赤外線照射部３４とを備えている。【選択図】  図１
2006245829.tif 000002
【特許請求の範囲】
【請求項１】
外部の機器と通信可能な主制御装置と、当該主制御装置によって制御される少なくとも１つの電気機器とが無線接続されており、上記外部の機器から送信された送信情報に基づいて、上記主制御装置が上記電気機器の動作を制御する管理システムにおいて利用され、
上記主制御装置と上記電気機器との情報通信を仲介する電気機器制御装置であって、
上記主制御装置と無線通信によって情報の受信を行う通信手段と、
上記通信手段が受信した情報に基づいて、上記電気機器に対して赤外線を照射して上記電気機器を操作する赤外線照射手段とを、備えることを特徴とする電気機器制御装置。
【請求項２】
上記通信手段は、特定小電力を用いた無線通信によって、上記主制御装置と情報の受信を行うことを特徴とする請求項１に記載の電気機器制御装置。
【請求項３】
上記通信手段は、上記主制御装置に対して情報の送信も行うものであり、
上記通信手段が送信する情報には、上記電気機器に対して赤外線を照射した旨の赤外線照射情報が含まれることを特徴とする請求項１または２に記載の電気機器制御装置。
【請求項４】
上記電気機器が配置された場所の環境状態を検知する検知手段をさらに備え、
上記通信手段は、上記検知手段による検知結果に基づいて、上記電気機器が動作しているか否かに関する情報を上記主制御装置に送信することを特徴とする請求項１〜３の何れか１項に記載の電気機器制御装置。
【請求項５】
上検知手段は、温度を検知する温度検知手段であることを特徴とする請求項４に記載の電気機器制御装置。
【請求項６】
上検知手段は、照度を検知する照度検知手段であることを特徴とする請求項４に記載の電気機器制御装置。
【請求項７】
請求項１〜６の何れか１項に記載の電気機器制御装置と、上記電気機器制御装置を制御する主制御装置とを含んで構成される電気機器制御システム。
【請求項８】
外部の機器と通信可能な主制御装置と、当該主制御装置によって制御される少なくとも１つの電気機器とが無線接続されており、上記外部の機器から送信された送信情報に基づいて、上記主制御装置が上記電気機器の動作を制御する管理システムにおいて利用され、上記主制御装置と上記電気機器との情報通信を仲介する電気機器制御装置における電気機器制御方法であって、
通信手段が、無線通信によって上記主制御装置から情報を受信する受信ステップと、
上記通信手段が受信した情報に基づいて、赤外線照射手段が、赤外線を照射して上記電気機器を操作する操作ステップとを、含むことを特徴とする電気機器制御方法。
【請求項９】
請求項１〜６の何れか１項に記載の電気機器制御装置における電気機器制御プログラムであって、コンピュータを上記各手段として機能させるための電気機器制御プログラム。
【請求項１０】
請求項９に記載の電気機器制御プログラムを記録したコンピュータ読取り可能な記録媒体。
【発明の詳細な説明】
【技術分野】
【０００１】
本発明は、無線接続（フルワイヤレス接続）されたセルフセキュリティシステムにおいて、当該システムの主制御装置と本システムの管理領域内に配置された電気機器とを仲介し、当該電気機器を管理制御する電気機器制御装置に関するものである。
【背景技術】
【０００２】
従来から、家屋、職場、学校等、人がある程度の時間滞在して生活や作業をなす場所（以下、単に「家屋」と称する）におけるセキュリティを管理するための種々の手法が提案されている。例えば、種々のセンサを家屋内や家屋周辺に設置し、家屋内外の状態を監視するといったセキュリティシステムは既に実用化されている。このようなセキュリティシステムによって管理されている領域のことをセキュリティ領域（あるいは、管理領域）と呼ぶ。
【０００３】
このようなセキュリティシステムでは、一般に、家屋の内外に設置された複数のセンサを制御するメインコントローラ（主制御装置）を備えている。メインコントローラと各センサとは通信可能に接続されており、メインコントローラがセンサの検知結果に基づいた所定のセキュリティ管理を行うようになっている。
【０００４】
また、このようなセキュリティシステムでは、通常、メインコントローラとセンサとは有線による通信を行っているか、若しくは特定小電力の通信方式を採用した無線通信を行っている。
【０００５】
また、セキュリティシステムには、家屋内外の状態を画像として撮影するためにカメラが設けられている場合がある。カメラにて撮影した画像データは容量が大きいため、メインコントローラとのデータの送受信は、有線によるものか、若しくはＩＥＥＥ８０２．１１ｂ規格に準拠した無線通信（無線ＬＡＮ）等が採用されている（例えば、特許文献１および２参照）。
【０００６】
さらに、このようなセキュリティシステムの中には、例えば、特許文献２に記載されているように、照明装置、暖房機器、および各種家電機器が、当該システムのサーバとインターフェースを介して接続されているものもある。そして、外出先から携帯電話機によって、これらの機器の状態を監視できるとともに、これら各種電気機器の点灯および消灯などの制御を行うことができる。
【特許文献１】特開２００４−１２８８２１（平成１６年（２００４年）４月２２日公開）
【特許文献２】特開２００４−１９４１１１（平成１６年（２００４年）７月８日公開）
【発明の開示】
【発明が解決しようとする課題】
【０００７】
ところで、メインコントローラと、センサ、カメラ、および各種電気機器との通信を有線にて行う場合には、センサ、カメラ、および各種電気機器を設置する位置まで通信用の線を敷設する必要があるため、これらの設置箇所が制限されてしまう。このため、メインコントローラと、センサ、カメラ、および各種電気機器との通信は無線通信により行うことが好ましい。このような無線による通信方式としては、特定小電力の通信方式（以下、「特定小電力」と称する）、あるいは無線ＬＡＮによる通信方式が挙げられる。
【０００８】
上述のようなセキュリティティシステムを構築する場合、主として管理領域内の監視を行うために配置されるセンサおよびカメラについては、システムの導入とともに当該システムの仕様に合わせて構成された機器を管理領域内に取り付けることになる。そのため、上記センサやカメラは、特定小電力あるいは無線ＬＡＮといった通信方式に合わせた通信部を有しており、メインコントローラと円滑な情報通信を行うことができる。
【０００９】
しかしながら、セキュリティシステムに接続される照明装置、空調機器、テレビなどの各種電気機器に関しては、一般的に、システム構築以前から家屋内に既に設置されているものをシステムに組み込む場合が多い。つまり、システムの仕様に合わせた無線通信部を内蔵しているような電気機器を用いれば、メインコントローラとの無線通信による円滑な情報通信が可能となるが、そのような仕様になっている電気機器を新しく購入しなければならず、コストが増大してしまう。また、既製の電気機器に上述のような無線通信部を別途取り付けるという方法も考えられるが、作業に手間がかかるため、ユーザ自身が行うことは不可能である。
【００１０】
本発明は、上記の問題点に鑑みてなされたものであり、その目的は、無線通信を利用したセキュリティシステムなどにおいて、電気機器と主制御装置との情報通信を円滑に行い、電気機器を確実に制御することのできる電気機器制御装置を実現することにある。
【課題を解決するための手段】
【００１１】
本願発明者は上記のような問題点について鋭意検討した結果、照明装置、冷暖房器具（空調機器）、テレビなどといった各種電気機器の中には、赤外線を照射するリモコンを用いて遠隔操作可能なものが多いことに着目した。そして、電気機器の制御は赤外線によって行い、主制御装置との情報通信は特定小電力によって行うことで、特定小電力による無線通信を利用したセキュリティシステムにおいて各種電気機器とメインコントローラ（主制御装置）との間における情報通信を円滑に行うことができることを見出し、本発明を完成させるに至った。
【００１２】
すなわち、本発明にかかる電気機器制御装置は、外部の機器と通信可能な主制御装置と、当該主制御装置によって制御される少なくとも１つの電気機器とが無線接続されており、上記外部の機器から送信された送信情報に基づいて、上記主制御装置が上記電気機器の動作を制御する管理システムにおいて利用され、上記主制御装置と上記電気機器との情報通信を仲介する電気機器制御装置であって、上記主制御装置と無線通信によって情報の受信を行う通信手段と、上記通信手段が受信した情報に基づいて、上記電気機器に対して赤外線を照射して上記電気機器を操作する赤外線照射手段とを、備えることを特徴としている。
【００１３】
本発明の電気機器制御装置は、各装置および機器が無線接続され、上記外部の機器から送信された送信情報に基づいて、主制御装置が電気機器の動作を遠隔制御することが可能な、セキュリティシステムなどの管理システムにおいて利用されるものである。この電気機器制御装置は、上記主制御装置と上記電気機器との情報通信を仲介する。
【００１４】
なお、上記外部の機器とは、例えば、インターネットなどの外部ネットワークを介して主制御装置と通信可能な携帯電話機などの通信端末、管理システムによって管理される領域内に配置されたセンサなどが挙げられる。この場合、上記電気機器制御装置は、センサの検査結果あるいは通信端末から入力された操作情報に基づいて、主制御装置が電気機器の動作を遠隔制御することができる。
【００１５】
そして、上記電気機器制御装置において、通信手段は主制御装置と無線通信によって情報の受信を行い、赤外線照射手段は、上記通信手段が受信した情報に基づいて、上記電気機器に対して赤外線を照射して上記電気機器を操作する。なお、上記通信手段が行う無線通信の方法としては、特定小電力、Ｂｌｕｅｔｏｏｔｈ（登録商標）などの８０２．１５無線、８０２．１１無線等の無線を用いるものが挙げられる。
【００１６】
上記の構成によれば、赤外線照射手段を有していることによって、従来から電気機器のリモコンとして利用されている赤外線によって、電気機器を遠隔操作することができるとともに、主制御装置と無線通信を行うことのできる通信手段を有していることによって、主制御装置から電気機器をどのように制御するかという情報についても受信することができる。そのため、無線通信を利用したセキュリティシステムなどの管理システムにおいて、電気機器と主制御装置との情報通信を円滑に行い、電気機器を確実に制御することができる。
【００１７】
つまり、新たに電気機器に主制御装置との通信手段を組み込んだり、上記通信手段が予め備えられている専用の電気機器を購入したりすることなく、既製の電気機器のリモコン機能を利用して、電気機器と主制御装置との情報通信を円滑に行うことができる。また、本発明の電気機器制御装置を用いることによって、手間のかかる作業を必要とせず、簡単な設定によって管理システムに電気機器を組み込むことができる。
【００１８】
なお、電気機器が複数である場合には、上記電気機器制御装置は、上記通信手段が受信した情報に基づいて、該当する電気機器の識別情報とその動作内容に関する情報とを含む指示情報を出す指示手段をさらに備え、上記赤外線照射手段は、上記指示手段から出された指示情報に基づいて、上記該当する電気機器に対して赤外線を照射して当該電気機器を操作することが好ましい。これによれば、電気機器が複数存在する場合にも、目的とする電気機器に対して目的とする動作を行わせることができる。
【００１９】
本発明の電気機器制御装置において、上記通信手段は、特定小電力を用いた無線通信によって、上記主制御装置と情報の受信を行うことが好ましい。
【００２０】
特定小電力による無線通信は、一般的な種々のセンサ間における無線通信方式として広く普及している。このため、特定小電力を利用した通信機器は、構成が簡単であり、設置や設定を容易に行うことができるという利点を有している。また、特定小電力による無線通信は、無線ＬＡＮによる無線通信と比較して、各端末間における通信の確立が速く、通信距離が長いという利点を有している。さらに、特定小電力による無線通信は、単方向通信が可能であると共に、データの送受信を行う場合にのみ通信を確立すればよいため、消費電力を小さくすることができるという利点も有している。
【００２１】
それゆえ、上記の構成によれば、通信手段の構成を簡単にすることができるとともに、機器の設定を容易に行うことができる。また、情報通信にかかる消費電力を減らすこともできる。
【００２２】
本発明の電気機器制御装置において、上記通信手段は、上記主制御装置に対して情報の送信も行うものであり、上記通信手段が送信する情報には、上記電気機器に対して赤外線を照射した旨の赤外線照射情報が含まれることが好ましい。
【００２３】
上記の構成によれば、赤外線を正常に照射したことを主制御装置に通知することができる。そして、例えば、所定時間内に主制御装置に対して上記の通知がされなかった場合には、何らかの異常によって赤外線が照射されなかったと判断して、再度指示情報を出すように制御することができる。これによって、電気機器をより確実に操作することができるようになる。
【００２４】
本発明の電気機器制御装置は、上記電気機器が配置された場所の環境状態を検知する検知手段をさらに備え、上記通信手段は、上記検知手段による検知結果に基づいて、上記電気機器が動作しているか否かに関する情報を上記主制御装置に送信することが好ましい。
【００２５】
上記の構成によれば、検知手段が、例えば、電気機器の電源がＯＮされたことによって生ずる環境状態の変化を検知し、その結果をセキュリティシステムの主制御装置へ通知することができる。これによって、上記赤外線照射手段によって電気機器が確実に操作されたことを確認することができる。
【００２６】
なお、上記検知手段が検知する「環境状態」としては、例えば、温度、照度、湿度、空気の清浄度、音の大きさなどが挙げられる。しかし、これに限定されることはなく、環境状態を示す指標として用いられるあらゆるものを含む。
【００２７】
本発明の電気機器制御装置において、上検知手段は、温度を検知する温度検知手段であることが好ましい。
【００２８】
上記の構成によれば、上記電気機器が空調機器である場合に、当該空調機器をＯＮ／ＯＦＦすることによって変化した室内などの温度変化を、温度検知手段が感知し、その結果をセキュリティシステムの主制御装置へ通知することができる。これによって、上記赤外線照射手段によって電気機器が確実に操作されたことを確認することができる。
【００２９】
本発明の電気機器制御装置において、上検知手段は、照度を検知する照度検知手段であることが好ましい。
【００３０】
上記の構成によれば、上記電気機器が照明機器あるいはテレビなどである場合に、当該照明機器をＯＮ／ＯＦＦすることによって変化した室内などの照度変化を、照度検知手段が感知し、その結果をセキュリティシステムの主制御装置へ通知することができる。これによって、上記赤外線照射手段によって電気機器が確実に操作されたことを確認することができる。
【００３１】
また、本発明にかかる電気機器制御システムは、上記の何れかの電気機器制御装置と、上記電気機器制御装置を制御する主制御装置とを含んで構成されることを特徴としている。
【００３２】
また、本発明にかかる電気機器制御方法は、外部の機器と通信可能な主制御装置と、当該主制御装置によって制御される少なくとも１つの電気機器とが無線接続されており、上記外部の機器から送信された送信情報に基づいて、上記主制御装置が上記電気機器の動作を制御する管理システムにおいて利用され、上記主制御装置と上記電気機器との情報通信を仲介する電気機器制御装置における電気機器制御方法であって、通信手段が、無線通信によって上記主制御装置から情報を受信する受信ステップと、上記通信手段が受信した情報に基づいて、赤外線照射手段が、赤外線を照射して上記電気機器を操作する操作ステップとを、含むことを特徴としている。
【００３３】
本発明の電気機器制御方法は、主制御装置と無線通信を行うことのできる通信手段が、主制御装置から電気機器をどのように制御するかという情報を受信し、赤外線照射手段がこの情報に基づいて、従来から電気機器のリモコンとして利用されている赤外線を用いて、電気機器を遠隔操作するというものである。そのため、上記の方法によれば、無線通信を利用したセキュリティシステムなどの管理システムにおいて、電気機器と主制御装置との情報通信を円滑に行い、電気機器を確実に制御することができる。
【００３４】
なお、上記電気機器制御装置における電気機器制御は、コンピュータによって実現してもよく、この場合には、コンピュータを上記各手段として機能させることにより上記電気機器制御装置をコンピュータにて実現させる制御プログラムを記録したコンピュータ読取り可能な記録媒体も、本発明の範疇に入る。
【００３５】
すなわち、本発明にかかる電気機器制御プログラムは、上記の何れかの電気機器制御装置における電気機器制御プログラムであって、コンピュータを上記各手段として機能させるためのものである。また、本発明にかかる記録媒体は、上記の電気機器制御プログラムを記録したコンピュータ読取り可能な記録媒体である。
【発明の効果】
【００３６】
以上のように、本発明にかかる電気機器制御装置は、上記主制御装置と無線通信によって情報の受信を行う通信手段と、上記通信手段が受信した情報に基づいて、上記電気機器に対して赤外線を照射して上記電気機器を操作する赤外線照射手段とを、備えている。
【００３７】
それゆえ、上記の構成によれば、赤外線照射手段を有していることによって、従来から電気機器のリモコンとして利用されている赤外線によって、電気機器を遠隔操作することができるとともに、主制御装置と無線通信を行うことのできる通信手段を有していることによって、主制御装置から電気機器をどのように制御するかという情報についても受信することができる。そのため、無線通信を利用したセキュリティシステムなどの管理システムにおいて、電気機器と主制御装置との情報通信を円滑に行い、電気機器を確実に制御することができるという効果を奏する。
【発明を実施するための最良の形態】
【００３８】
本発明の実施の一形態について図１ないし図１７に基づいて説明すると以下の通りである。本実施の形態では、家屋のセキュリティを監視する、いわゆるホームセキュリティシステムを例に挙げ、このセキュリティシステムの全体構成、および、このシステムを構成するセンサ部、家電制御部などについて説明する。また、上記家電制御部を構成する、本発明にかかる電気機器制御装置として、このホームセキュリティシステム内でメインコントローラ（主制御装置）と家電機器（電気機器）との情報通信を仲介する家電コントローラを例に挙げて説明する。しかしながら、本発明は、これに限定されるものではない。
【００３９】
〔Ａ：セキュリティシステムの構成〕
まず、セキュリティシステムの全体構成について説明する。
【００４０】
図２は、本発明の実施の形態に係るセキュリティシステムの概略構成を示す概略図である。図２に示すように、セキュリティシステム１は、監視システム１１と携帯電話機（通信端末）１２とを備えており、この監視システム１１と携帯電話機１２とが、外部ネットワーク１３（インターネット）を介して互いに通信可能に接続されている。
【００４１】
監視システム１１は、家屋内外のセキュリティを行う領域（セキュリティ領域）における種々の状態を監視するものである。また、携帯電話機１２は、監視システムのユーザによって予め登録された携帯電話機である。すなわち、上記セキュリティシステム１は、監視システム１１がセキュリティ領域に何らかの異常が発生したと判断した場合に、外部ネットワーク１３を介して、ユーザによって予め登録された携帯電話機１２にその旨を通知するものである。これにより、ユーザは、セキュリティ領域に異常が発生したことを知ることができることとなっている。以下、具体的に説明する。
【００４２】
〔Ａ−１：監視システム〕
図３は、上記セキュリティシステム１における監視システム１１の概略構成を示すブロック図である。図３に示すように、監視システム１１は、センサ部２１、アクチュエータ部２２、カメラ部２３、家電制御部２４（電気機器制御装置および複数の電気機器）、メインコントローラ２５（主制御装置）を備えている。
【００４３】
（センサ部）
センサ部２１は、侵入等の異常状態を検知し、警報を発する機器である。具体的には、センサ部２１は、セキュリティ領域の状態を監視して、その状態の変化を検知する。また、センサ部２１は、状態の変化を検知して、異常状態であるか否かを判断し、異常状態である場合には、その旨をメインコントローラ２５に通知する。なお、異常とは、災害や侵入等のセンサ部２１で検知した異常状態を総称したものとする。
【００４４】
図４は、センサ部２１の概略構成を示すブロック図である。図４に示すように、センサ部２１は、センサ５１、センサ制御部５２、センサ通信部５３、センサ電源部５４、センサ電源監視部５５を備えている。
【００４５】
センサ５１は、セキュリティ領域の状態の変化を識別するものである。センサ５１としては、状態の変化を識別できるものであればよいが、例えば、振動センサ、焦電センサ、リードＳＷ、ドップラーセンサ、ＭＩＲ(Micro Impulse Radar)センサ等を用いることができる。
【００４６】
振動センサは、振動や音を検知するものである。振動センサは、例えばドアに設置することにより、ドアの振動を検知することや、ピッキング等の鍵を触る際の音や振動を検知することができる。また、焦電センサやドップラーセンサを設置することにより、人の存在や物体移動を検知することができる。また、リードＳＷやＭＩＲセンサをドアや窓に設置することによって、ドアや窓の開閉を検知したり、窓ガラスが割られたこと等を検知したりすることができる。なお、ＭＩＲセンサとは、反射を見て物体を検知するものである。
【００４７】
本実施の形態にかかるセンサ部２１には、上記各種センサのうち、ドップラーセンサ５１がセンサ５１として取り付けられている。
【００４８】
なお、用いることができるセンサとしては上述のものに限定されるものではない。また、セキュリティシステムの仕様等によって、使用するセンサの数や種類、それらの組み合わせを適宜変えてもよい。通常、セキュリティシステムにおいては、管理領域内の各ドア、各窓に、上記のようなセンサ部２１がそれぞれ取り付けられていることが好ましい。
【００４９】
上記ドップラーセンサ５１は、センサ制御部５２と接続されており、当該センサにて検知した変化に関する情報（変化情報）はセンサ制御部５２へと送信される。なお、センサ５１にて検知した変化情報とは、センサ５１が検知した状態の変化の程度（状態の変化のレベル）に関する情報である。
【００５０】
センサ制御部５２は、センサ部２１全体を制御するものであり、例えば、異常の判定、異常の通知、センサ電源部として電池を使用した場合の電池残量監視等を行っている。具体的には、センサ制御部５２は、センサ５１にて検知した変化情報を受信すると、当該センサ５１が検知した状態変化のレベルが異常なレベル（異常状態）であるか否かの判断を行う。センサ制御部５２には、予め、センサ５１にて検知した変化情報が異常を示すものであるか否かを判定するための閾値が記憶されている。このため、センサ制御部５２は、センサ５１から送信された変化情報を閾値と比較して、閾値を超えている場合に異常であると判定する。センサ制御部５２は、異常であると判定した場合には、その旨をメインコントローラ２５に通知する。センサ制御部５２からの異常の通知はセンサ通信部５３を介して行われる。
【００５１】
センサ通信部５３は、センサ部２１がメインコントローラ２５と通信を行うためのインターフェースである。センサ部２１は、メインコントローラ２５と無線接続されており、無線通信を行うようになっている。本実施の形態では、センサ部２１とメインコントローラ２５とは、特定小電力を用いた無線通信を行っている。このため、センサ通信部５３は、特定小電力用のＲＦＩＣ（無線タグ）を備えた構成を有している。センサ制御部５２からの異常通知は、センサ通信部５３からメインコントローラ２５へと送信される。
【００５２】
なお、本実施の形態におけるセンサ部２１とメインコントローラ２５との通信は、センサ部２１からメインコントローラ２５への単方向通信となっている。これらの間の通信は、単方向通信としてもよく、双方向通信としてもよい。ただし、双方向通信とする場合には、常に相手装置からの信号を受信できるように待機状態にしておく必要がある。このため、消費電力が大きくなる。これに対して、単方向通信では、本実施の形態のように各センサにて異常を検知した際にメインコントローラ２５にその旨を通知することができればよく、消費電力を小さくすることができる。
【００５３】
また、センサ電源部５４は、センサ部２１の各部材を駆動させるための電源である。センサ電源部５４は、ＡＣ電源や電池とすることができる。ただし、センサ部２１の設置箇所はドアや窓等であることが多いため、電池を用いることが好ましい。この場合、センサ部は、通信用の線および電源用の線の双方共に不要となり、フルワイヤレスとすることができる。電池としては、一次電池、二次電池、太陽電池等を用いることができる。
【００５４】
センサ電源部５４に電池を使用する場合、電池が全て消費され、センサ部２１が駆動しなくならないように電池残量を監視する必要がある。センサ電源監視部５５は、電池残量を監視するものである。センサ電源監視部５５は、電池の残量を定期的に監視しており、その監視結果をセンサ制御部５２に送信する。センサ制御部５２は、監視結果に基づいて電池残量が所定値以下であるか否かを判断する。センサ部２１は、センサ制御部５２によって電池残量が所定値以下であると判断された場合には、センサ通信部５３を介してメインコントローラ２５にその旨を送信する。
【００５５】
（カメラ部）
カメラ部２３は、セキュリティ領域の状態を撮影するものである。図５は、カメラ部２３の概略構成を示すブロック図である。図５に示すように、カメラ部２３は、カメラ第１通信部６１、カメラ第２通信部６２、カメラ制御部６３、カメラモジュール６４、カメラ電源部６５、カメラ電源監視部６６、ＬＥＤ６７を備えている。
【００５６】
カメラ第１通信部６１およびカメラ第２通信部６２は、カメラ部２３がメインコントローラ２５と通信を行うためのインターフェースである。カメラ部２３とメインコントローラ２５との通信は、有線でも無線でもよく、本実施の形態では無線通信が用いられている。また、カメラ第１通信部６１を介して行われる通信と、カメラ第２通信部６２を介して行われる通信とは、互いに異なる通信方式が採用されている。具体的には、カメラ第１通信部６１を介して行われる無線通信には、特定小電力が用いられ、カメラ第２通信部６２を介して行われる無線通信には、ＩＥＥＥ８０２．１１ｂ規格に準拠した無線通信（以下「無線ＬＡＮ」と称する）が用いられている。特定小電力の通信方式は低消費電力であり、無線ＬＡＮは消費電力が大きいため、通信するデータの種類に応じて無線ＬＡＮによる通信を最小限に抑えることが、異なる通信方式を採用するねらいである。
【００５７】
カメラ制御部６３は、カメラ部２３全体を制御するものであり、カメラ通信制御部６８を備えている。例えば、カメラ制御部６３は、カメラモジュールに対する撮影指示や撮影した画像データの受信制御、後述するＬＥＤの点灯制御や電池残量監視等を行うものである。
【００５８】
カメラ通信制御部６８は、カメラ第１通信部６１およびカメラ第２通信部６２を制御して、カメラ部２３からメインコントローラ２５への通信を制御するものである。カメラ制御部６３は、カメラ部２３からメインコントローラ２５に対して送信するデータの種類に応じて、カメラ第１通信部６１またはカメラ第２通信部６２のいずれを介して通信を行うか判断する。すなわち、カメラ通信制御部６８は、通信を行うデータの種類に応じて、特定小電力を用いた通信と無線ＬＡＮを用いた通信とのいずれが適しているかについて判定する機能を有している。特定小電力を用いた通信を行う場合には、カメラ通信制御部６８は、カメラ第１通信部６１を制御して通信を行う。また、無線ＬＡＮを用いた通信を行う場合には、カメラ通信制御部６８は、カメラ第２通信部６２を制御して通信を行う。
【００５９】
カメラモジュール６４は、カメラ制御部６３の指示に基づいて所定の画像を撮影するものである。カメラモジュール６４は、ＣＣＤ等の撮像装置を備えており、例えば、異常が発生した場合に、その異常の状態を撮影したり、ユーザの指示により画像を撮影したりする。また、カメラモジュール６４は、パン／チルト機能を有していることが好ましい。この場合、定点画像ではなく、ある程度の範囲を含む空間を撮影することができる。
【００６０】
また、カメラモジュール６４で撮影する画像は、静止画でもよく動画でもよい。カメラモジュールで撮影された画像データは、カメラ制御部６３へと送られる。そして、この画像データはカメラ制御部６３の制御によって、カメラ第２通信部６２を介してメインコントローラ２５に送信される。
【００６１】
カメラ電源部６５は、カメラ部２３の各部材を駆動させるための電源である。カメラ電源部６５としては、電池を用いることができる。この場合、カメラ部は通信用の線および電源用の線の双方共に不要となるため、カメラ部２３の取り付け位置に制限がなくなる。なお、使用する電池は、一次電池でも二次電池でもよい。
【００６２】
また、カメラ電源監視部６６は、電源として用いた電池の残量を監視するものである。カメラ電源監視部６６による監視結果は、カメラ制御部６３に送られる。カメラ制御部６３は、電池の残量が所定値以下であるか否かを判断し、所定値以下であると判断した場合に、その旨をメインコントローラ２５に通知する。
【００６３】
なお、カメラ電源部６５としては、電池を用いることに限定されるものではなく、ＡＣ電源を用いることもできる。この場合には、電池残量を監視するカメラ電源監視部６６は不要となる。また、ＡＣ電源を用いた場合には、消費電力が大きい動画の撮影や動画の画像データの送信を容易に行うことが可能となる。
【００６４】
ＬＥＤ６７は、照明用のライトである。ＬＥＤ６７は、撮影の際に、カメラ設置箇所の明るさが十分でない場合に点灯する。カメラ制御部６３が、カメラ設置箇所の明るさを検知し、カメラ判定部（図示せず）が、撮影可能な明るさであるか否かを判定し、撮影可能な明るさでないと判定した場合にはＬＥＤ６７を点灯させる。
【００６５】
なお、本実施の形態では、カメラ部２３は異常が発生した際の状況を撮影するためのものであり、異常を検知するためのセンサとしての機能は有していない。しかしながら、カメラ部２３をセンサ部２１と同様に異常検知用として使用することも可能である。この場合、カメラ部２３の撮影機能を常に稼動させておき、一定時間毎に自動的に撮影を行うように設定しておく。
【００６６】
そして、撮影した画像データに基づいて、異常の有無を判断する。異常の有無は、一定時間毎に撮影した画像データを比較し、状態に変化が生じていると判断した場合には異常が発生したと判断する。異常の有無の判断はカメラ部２３にて行ってもよく、メインコントローラ２５にて行ってもよい。
【００６７】
異常の有無の判断をカメラ部２３にて行う場合には、カメラ制御部６３に閾値を記憶させておく。そして、カメラ制御部６３が、画像データに基づく変化の度合いと閾値とを比較して、変化の度合いが閾値を超えている場合には異常が発生したと判断する。
【００６８】
異常の有無の判断をメインコントローラ２５にて行う場合には、カメラ部２３は、一定時間毎に撮影した画像データをその都度メインコントローラ２５に送信する。そして、メインコントローラ２５がそれら各画像データに基づいて異常の有無を判断する。
【００６９】
上述のように、カメラ部２３とメインコントローラ２５との通信は、カメラ第１通信部６１およびカメラ第２通信部６２を介した無線通信によって行われる。また、カメラ第１通信部６１とメインコントローラ２５との通信は特定小電力が用いられ、カメラ第２通信部６２とメインコントローラ２５との通信は無線ＬＡＮが用いられている。
【００７０】
（アクチュエータ部）
アクチュエータ部２２は、異常が発生した際に、外部に向けて異常を知らせたり、不審者等を威嚇したりするものである。アクチュエータ部２２は、メインコントローラ２５と通信可能に接続されており、メインコントローラ２５からの指示に基づいて異常の通報や威嚇を行っている。図６は、アクチュエータ部２２の概略構成を示すブロック図である。図６に示すように、アクチュエータ部２２は、アクチュエータ通信部７１、アクチュエータ制御部７２、通報・威嚇部７３、アクチュエータ電源部７４、アクチュエータ電源監視部７５を備えている。
【００７１】
アクチュエータ通信部７１は、アクチュエータ部２２がメインコントローラ２５と通信を行うためのインターフェースである。アクチュエータ部２２とメインコントローラ２５との通信は、無線でも有線でもよい。ただし、アクチュエータ部２２の設置箇所に制限がなくなるという点から無線通信を用いることが好ましい。本実施の形態では、無線通信方式として特定小電力を用いている。
【００７２】
異常が発生した場合、アクチュエータ通信部７１は、メインコントローラ２５から送信された異常の発生に関する信号（異常信号）を受信する。アクチュエータ通信部７１にて受信した異常信号は、アクチュエータ制御部７２に送られる。
【００７３】
アクチュエータ制御部７２は、アクチュエータ部２２全体を制御するものである。すなわち、アクチュエータ制御部７２は、上記アクチュエータ通信部７１を制御して、メインコントローラ２５との通信を行う。また、アクチュエータ制御部７２は、メインコントローラ２５から異常信号を受信すると、その信号に応じて通報・威嚇部７３を駆動する。
【００７４】
通報・威嚇部７３は、異常があったことを「音」や「光」等で外部に知らせると共に、侵入者等を威嚇するものである。通報・威嚇部７３としては、具体的には、例えばベル、ブザー、サイレン、照明等を用いることができる。
【００７５】
なお、アクチュエータ部２２は、メインコントローラ２５から異常信号を受信できるものであればよく、本実施の形態におけるアクチュエータ部２２とメインコントローラ２５との通信は、メインコントローラ２５からアクチュエータ部２２への単方向通信となっている。しかしながら、本発明は、アクチュエータ部２２とメインコントローラ２５との通信は、単方向通信に限定されることなく、双方向通信であってもよい。なお、双方向通信である場合には、アクチュエータ部２２からメインコントローラ２５へは、アクチュエータ部２２の電池残量に関する情報を送信することが好ましい。
【００７６】
なお、アクチュエータ部２２を駆動させるアクチュエータ電源部７４としては、ＡＣ電源や電池を用いることができるが、電池を用いることが好ましい。この場合、アクチュエータ部２２は、通信用の線および電源用の線の双方共に不要となり、フルワイヤレスとすることができる。電池としては、一次電池、二次電池、太陽電池等を用いることができる。
【００７７】
また、アクチュエータ電源部７４として電池を用いる場合には、電池残量を監視するアクチュエータ電源監視部７５を備えていることが好ましい。アクチュエータ電源監視部７５は、電池の残量を定期的に監視しており、その監視結果をアクチュエータ制御部７２に送信する。アクチュエータ制御部７２は、監視結果に基づいて電池残量が所定値以下であるか否かを判断する。アクチュエータ部２２は、アクチュエータ制御部７２によって電池残量が所定値以下であると判断された場合には、アクチュエータ通信部７１を介してメインコントローラ２５にその旨を送信する。
【００７８】
（メインコントローラ）
メインコントローラ２５は、上記センサ部２１、アクチュエータ部２２、カメラ部２３、および家電制御部２４を制御することにより、監視システム１１全体を制御するものである。図７は、メインコントローラ２５の概略構成を示すブロック図である。
【００７９】
図７に示すように、メインコントローラ２５は、第１通信部８１、第２通信部８２、外部通信部８３、制御部８４、電源監視部８５、記憶装置８６、時計部８７を備えている。
【００８０】
第１通信部８１および第２通信部８２は、メインコントローラ２５が、センサ部２１、アクチュエータ部２２、カメラ部２３、および家電制御部２４と通信を行うためのインターフェースである。すなわち、メインコントローラ２５は、第１通信部８１および第２通信部８２を介して、センサ部２１、アクチュエータ部２２、カメラ部２３、および家電制御部２４と通信を行っている。
【００８１】
また、第１通信部８１を介して行われる通信と、第２通信部８２を介して行われる通信とは、互いに異なる通信方式が採用されている。具体的には、第１通信部８１を介して行われる通信には特定小電力が用いられ、第２通信部８２を介して行われる通信には無線ＬＡＮが用いられている。
【００８２】
外部通信部８３は、メインコントローラ２５が、外部ネットワーク１３と通信を行うためのインターフェースである。メインコントローラ２５は、外部通信部８３を介してイーサネット（登録商標）等と接続されている。すなわち、監視システム１１は、イーサネット（登録商標）を介して外部ネットワーク１３と接続されている。
【００８３】
このように、メインコントローラ２５は、センサ部２１、アクチュエータ部２２、カメラ部２３、および家電制御部２４と通信可能に接続されていると共に、外部ネットワーク１３と通信可能に接続されている。
【００８４】
制御部８４は、メインコントローラ２５全体を制御するものであり、通信制御部８８とセキュリティ管理制御部８９とを備えている。
【００８５】
通信制御部８８は、第１通信部８１、第２通信部８２および外部通信部８３を制御するものである。すなわち、通信制御部８８は、センサ部２１、アクチュエータ部２２、カメラ部２３、家電制御部２４、および外部ネットワーク１３との通信を制御している。
【００８６】
通信制御部８４は、通信を行うデータの種類に応じて第１通信部８１または第２通信部８２のいずれを介して通信を行うかを判断する。すなわち、通信制御部８４は、通信を行うデータの種類に応じて、特定小電力を用いた通信と無線ＬＡＮを用いた通信とのいずれが適しているかについて判定する機能を有している。特定小電力を用いた通信を行う場合には、通信制御部８４は、第１通信部８１を制御して通信を行う。また、無線ＬＡＮを用いた通信を行う場合には、通信制御部８４は、第２通信部８２を制御して通信を行う。
【００８７】
セキュリティ管理制御部８９は、セキュリティシステムの警戒状態設定を含む各種設定を行うための制御や、センサ部２１やカメラ部２３から送信されたデータに基づいて、異常である旨をユーザに通知するための制御を行ったり、家電機器のＯＮ／ＯＦＦを制御したりするものである。
【００８８】
また、セキュリティ管理制御部８９は、カメラ部２３から送信された画像データに対して、所定の処理を施すものであってもよい。所定の処理とは、例えば、カメラ部２３で撮影した異常の状態のうち、特定の部分のみを拡大して表示する場合に、拡大する部分を画像の中から切り出すといった処理がある。この特定の部分とは、例えば、異常が不審者の侵入である場合における侵入者の顔等である。
【００８９】
電源監視部８５は、メインコントローラ２５を駆動させるための電源を監視するものである。メインコントローラ２５を駆動させるための電源としては、一次電池、二次電池、太陽電池やＡＣ電源のいずれを用いてもよい。メインコントローラ２５の電源が一次電池または二次電池である場合（メインコントローラの電源がＡＣ電源または太陽電池といった交換不要な（永久的な）電源でない場合）には、電源監視部８５は電池の残量を監視する。
【００９０】
この場合、電源監視部８５による監視結果が制御部８４に送られ、制御部８４は、電池残量が所定値以下であるか否かを判断する。判断の結果、電池残量が所定値以下である場合には、メインコントローラ２５は、外部通信部８３を介してユーザの携帯電話機１２にその旨のメールを送信する。
【００９１】
また、電源監視部８５は、使用する電源が電池であるかＡＣ電源等であるかに関わらず、電源遮断を検知する機能を有していてもよい。この場合、電源監視部８５は、何らかの原因で電源が遮断された場合に、それを検知することができる。そして、メインコントローラ２５は、ユーザの携帯電話機１２にその旨を通知するメールを送信してもよい。これにより、例えば、侵入者による電源遮断や停電といった不測事態による警戒状態中断をユーザに知らせることが可能となる。
【００９２】
また、メインコントローラ２５は、電源が遮断された場合に、この電源が遮断されたという事実を記憶装置８６に記憶させてもよい。さらに、メインコントローラ２５は、時計部の時間情報に基づいて、遮断された時間を併せて記憶させてもよい。
【００９３】
なお、記憶装置８６には、電源遮断に関する情報の他に、発生した異常履歴や、カメラ部にて撮影した画像データ等を記憶させてもよい。
【００９４】
また、メインコントローラ２５に複数の異なる色のＬＥＤ６７等を設け、セキュリティシステム１が有する複数の警戒状態に応じて点灯させるＬＥＤ６７を変えてもよい。これにより、セキュリティシステム１が現時点でどの警戒状態にあるのかを簡単に判別することができる。例えば、セキュリティシステム１が外出モードの場合には赤色のＬＥＤを点灯させ、在宅モードの場合には緑色のＬＥＤを点灯させ、非警戒モードの場合にはＬＥＤを消灯させることができる。
【００９５】
（家電制御部）
家電制御部２４は、メインコントローラ２５からの指示に基づいて、エアコン４１ａ（空調機器）、照明４１ｂ（照明機器）、テレビ４１ｃなどの各種家電機器４１（電気機器）を操作する家電コントローラ３１（電気機器制御装置）と、上記各種家電機器４１とから構成される。この家電コントローラ３１は、メインコントローラ２５と上記各種家電機器４１との情報通信を特定小電力による無線通信によって仲介する機器である。
【００９６】
つまり、本発明の電気機器制御装置は、外部ネットワークを介して通信端末と通信可能なメインコントローラ（主制御装置）と、所定の管理領域内に配置されたセンサと、当該メインコントローラによって管理される少なくとも１つの電気機器とが無線接続されており、上記センサにおける検知結果あるいは上記通信端末から入力された操作情報に基づいて、上記メインコントローラが上記電気機器の動作を制御することが可能な管理システムにおいて利用されるものである。そして、この電気機器制御装置は、上記主制御装置と上記電気機器との情報通信を仲介する。
【００９７】
図１は、家電制御部の概略構成をブロック図である。図１に示すように、家電制御部２４は、家電コントローラ３１と複数の家電機器４１…とから構成されている。上記家電機器４１は、一般的に家電機器と呼ばれるものであれば特に限定はされないが、本実施の形態では、上記家電機器としてエアコン４１ａ、照明４１ｂ、テレビ４１ｃが備えられている。
【００９８】
家電コントローラ３１は、特定小電力通信部３２（通信手段）、内部制御部３３（指示手段）、赤外線照射部３４（赤外線照射手段）、温度センサ３５（温度検知手段）、照度センサ３６（照度検知手段）、操作部３７、家電コントローラ電源部３９、および家電コントローラ電源制御部４０を備えている。
【００９９】
特定小電力通信部３２は、メインコントローラ２５との情報の送受信を行うためのインターフェースである。特定小電力通信部３２は、メインコントローラ２５と無線接続されている。本実施の形態では、特定小電力通信部３２とメインコントローラ２５とは、特定小電力を用いた無線通信を行っている。このため、特定小電力通信部３２は、特定小電力用のＲＦＩＣ（無線タグ）を備えた構成を有している。特定小電力通信部３２は、主として、メインコントローラ２５から送信された家電機器制御コマンドを受信する機能を有する。また、上記の機能以外に、温度センサ３５あるいは照度センサ３６によって検知した温度変化あるいは照度変化を基に、各種家電機器４１が正常に動作している旨の信号（フィードバック信号）をメインコントローラ２５に対して送信するという機能も有している。
【０１００】
内部制御部３３は、家電コントローラ３１全体を制御するものであり、例えば、メインコントローラ２５から送信された家電機器制御コマンドに基づいて、該当する家電機器に対して目的とする動作を行わせるように赤外線照射部３４に対して指示を出したり、操作部３７によって入力されたユーザからの指示に基づいて、該当する家電機器に対して目的とする動作を行わせるように赤外線照射部３４に対して指示を出したりする。内部制御部３３は、赤外線照射部３４に対して上述のような指示を出す赤外線照射指示部３８（指示手段）を備えている。
【０１０１】
赤外線照射部３４は、赤外線照射指示部３８からの指示内容に基づいて、当該家電コントローラ３１によってリモコン制御可能な複数の家電機器のうち、該当する家電機器に対して目的とする動作を行わせるために、赤外線を照射する。なお、この赤外線照射指示部３８における赤外線照射の方法ついては、従来公知の赤外線を用いたリモコン操作の方法を採用することができる。
【０１０２】
温度センサ３５は、家電コントローラ３１が設置されている室内の温度を検知する。照度センサ３６は、家電コントローラ３１が設置されている室内の照度を検知する。つまり、上記温度センサ３５および照度センサ３６は、内部制御部３３からの指示によって、各種家電機器４１ａ〜４１ｃなどがＯＮ／ＯＦＦされた結果起こり得る室内の温度あるいは照度の変化を検知することができる。
【０１０３】
そして、温度センサ３５あるいは照度センサ３６による温度（あるいは照度）検知結果は、内部制御部３３に送信され、内部制御部３３は上記温度（あるいは照度）検知結果に基づいて、各種家電機器４１ａ〜４１ｃが正常に動作しているか否かを判別する。そして、内部制御部３３は、この判別結果に基づいて、各種家電機器４１ａ〜４１ｃが正常に動作しているという信号（あるいは、正常に動作していないという信号）を作成し、特定小電力通信部３２を介してメインコントローラ２５へ送信することができる。
【０１０４】
操作部３７は、複数の操作キーを備えている。そして、ユーザが上記操作キーから入力を行うことによって、内部制御部３３から赤外線照射部３４へと入力されら情報が送信され、該当する家電機器に対して目的とする動作を行わせることができる。つまり、ユーザは、上記操作キーを用いて各種家電機器４１ａ〜４１ｃのリモコン操作を行うことができる。操作部３７のより具体的な構成については後述する。
【０１０５】
また、家電コントローラ電源部３９は、家電コントローラ３１の各部材を駆動させるための電源である。家電コントローラ電源部３９は、ＡＣ電源や電池とすることができる。ただし、家電コントローラ３９は利便性の観点から管理領域内の種々の場所へ移動可能とすることが好ましく、この点からすれば電池を用いることが好ましい。この場合、センサ部は、通信用の線および電源用の線の双方共に不要となり、フルワイヤレスとすることができる。電池としては、一次電池、二次電池、太陽電池等を用いることができる。
【０１０６】
家電コントローラ電源部３９に電池を使用する場合、電池が全て消費され、家電コントローラ３１が駆動しなくならないように電池残量を監視する必要がある。家電コントローラ電源監視部４０は、電池残量を監視するものである。家電コントローラ電源監視部４０は、電池の残量を定期的に監視しており、その監視結果を内部制御部３３に送信する。内部制御部３３は、監視結果に基づいて電池残量が所定値以下であるか否かを判断する。家電コントローラ３１は、内部制御部３１によって電池残量が所定値以下であると判断された場合には、特定小電力通信部３２を介してメインコントローラ２５にその旨を送信する。
【０１０７】
図８には、家電コントローラ３１の外観を示す。図８に示すように、家電コントローラ３１は直方体の形状をしており、その上部表面に複数の操作キーを有する操作部３７を備えており、その側面の一部に７個の赤外線ＬＥＤを有する赤外線照射部３４を備えている。なお、上記赤外線ＬＥＤは７個に限定されることはなく、必要に応じてその個数を変更させてもよい。但し、赤外ＬＥＤを７個程度有することによって、照射される赤外線の無指向化が可能となり、家電コントローラ３１が管理領域内のどこに設置されていても管理領域内の各種家電機器をリモコン操作することができる。
【０１０８】
続いて、家電コントローラ３１の操作部３７の具体的な構成について説明する。図９には、図８に示す家電コントローラ３１を上面側から（すなわち、矢印Ａの方向から）見た場合の操作部３７の様子を示す。
【０１０９】
図９に示すように、家電コントローラ３１の上面の一端部には、赤外線ＬＥＤを有する赤外線照射部３４が設けられている。また、操作部３７には、切り替えスイッチＳＷ１、電源キーＫ１・Ｋ２・Ｋ３、ＴＶ操作キーおよびカーソルキー群Ｋ４、登録キーＫ５、リザーブキー群Ｋ６が設けられている。
【０１１０】
切り替えスイッチＳＷ１は、エアコン４１ａ・照明４１ｂ・テレビ４１ｃを家電コントローラ３１によってリモコン操作できるようにリモコン設定を行う「プリセットモード」、上記以外の家電機器を家電コントローラ３１によって新たにリモコン操作できるように設定を行う「学習モード」、通常のリモコン操作を行う場合の「送信モード」、という３種類のモードの切り替えを行うスイッチである。
【０１１１】
電源キーＫ１は、テレビ４１ｃの電源のＯＮ／ＯＦＦを行うための操作キーである。電源キーＫ２は、照明４１ｂの電源のＯＮ／ＯＦＦを行うための操作キーである。電源キーＫ３は、エアコン４１ａの電源のＯＮ／ＯＦＦを行うための操作キーである。
【０１１２】
ＴＶ操作キーおよびカーソルキー群Ｋ４は、テレビ４１ｃのチャンネルやボリュームなどを変更するための操作キーである。登録キーＫ５は、特定小電力通信部３２がメインコントローラ２５と通信できるように設定を行うための操作キーである。リザーブキーＫ６は、エアコン４１ａ、照明４１ｂ、テレビ４１ｃ以外の家電機器を、上記「学習モード」を用いてリモコン操作できるように新たに登録したときに、その家電機器の電源のＯＮ／ＯＦＦを行うために利用する操作キーである。
【０１１３】
上記の家電コントローラ３１によれば、エアコン４１ａ・照明４１ｂ・テレビ４１ｃ、およびそれ以外の家電機器といった複数の家電機器を、それぞれリモコン操作することができる。
【０１１４】
さらに、家電コントローラ３１は、特定小電力通信部３２を有しており、メインコントローラ２５と特定小電力による無線通信が可能である。以下に、家電コントローラ３１とメインコントローラ２５との通信について説明する。
【０１１５】
（家電コントローラとメインコントローラとの通信）
上述のように、家電コントローラ３１とメインコントローラ２５との通信には、特定小電力が用いられている。本実施の形態では、メインコントローラ２５の第１通信部８１と家電コントローラ３１の特定小電力通信部３２とが特定小電力にて通信している。ここでの無線通信は、双方向通信である。
【０１１６】
第１通信部８１から特定小電力通信部３２へ送信されるデータとしては、家電機器制御コマンド（テレビオン／オフ、エアコンオン／オフ、照明オン／オフ等を制御するコマンド）などが挙げられる。一方、特定小電力通信部３２から第１通信部８１へ送信されるデータとしては、フィードバック信号（テレビ動作正常／異常、エアコン動作正常／異常、照明動作正常／異常などを報知する信号）、電池残量警告信号などが挙げられる。特定小電力通信部３２から第１通信部８１へ送信されるデータには、温度センサ３５あるいは照度センサ３６によって検知した温度変化あるいは照度変化を基に、各種家電機器４１が正常に動作している旨の信号（フィードバック信号）も含まれる。また、上記フィードバック信号は、単に、赤外線照射部３４が該当する家電機器に対して正常に赤外線を照射したことを示す信号であってもよい。
【０１１７】
なお、特定小電力による無線通信は、一般的な種々のセンサ間における無線通信方式として広く普及している。このため、特定小電力を利用した通信機器は、構成が簡単であり、設置や設定を容易に行うことができるという利点を有している。また、特定小電力による無線通信は、無線ＬＡＮによる無線通信と比較して、各端末間における通信の確立が速く、通信距離が長いという利点を有している。さらに、特定小電力による無線通信は、単方向通信が可能であると共に、データの送受信を行う場合にのみ通信を確立すればよいため、消費電力を小さくすることができるという利点も有している。
【０１１８】
以上のように、本実施の形態にかかる家電コントローラ３１は、特定小電力による無線通信によってメインコントローラ２５から、目的とする家電機器に対して目的の動作を行わせるための指示情報を受信し、この指示情報に基づいて、該当する家電機器に対して電源をＯＮ／ＯＦＦするなどといった動作を行わせることができる。なお、上記指示情報には、目的とする家電機器の識別情報、および、目的とする動作内容（電源ＯＮあるいは電源ＯＦＦなど）に関する情報が含まれる。
【０１１９】
このように、特定小電力と赤外線という２つの情報通信を行うことができる家電コントローラ３１を仲介させることによって、本実施の形態にかかるセキュリティシステムでは、メインコントローラ２５と各種家電機器４１…との情報の送受信を円滑に行うことができ、家電機器を確実に制御することができる。なお、本実施の形態にかかる家電コントローラ、学習機能を備えた従来公知のリモコン装置に、上記のような特定小電力通信部を取り付けるという方法によっても実現することができる。
【０１２０】
〔Ａ−２：外部ネットワーク〕
上記監視システム１１は、外部ネットワーク１３を介して携帯電話機１２と通信可能に接続されている。この外部ネットワーク１３とは、いわゆるインターネットである。ただし、本発明では、監視システム１１と携帯電話機１２とは、インターネットを経由しながらプロトコル変換部（図示せず）を介して通信を行っている。
【０１２１】
プロトコル変換部とは、監視システム１１と携帯電話機１２とにおける双方向通信を実現するためのものである。ここで、携帯電話機１２はＨＴＴＰを用いてデータ通信を行っているが、監視システム１１は、ルータを介してインターネットを接続されているため、携帯電話機１２と監視システムとが直接通信を行うことができない。このため、上記プロトコル変換部を介して所定のプロトコルに変換するようになっている。
【０１２２】
プロトコル変換部は、ＶＰＮ（Virtual Private Network）およびプロキシサーバを備えている。ＶＰＮは、インターネットを経由しているにも関わらず、拠点間を専用線のように相互に接続し、安全な通信を可能にするネットワーク技術であり、仮想専用網、仮想ネットワークとも呼ばれる。
【０１２３】
プロキシサーバは、いわゆるアドレス変換（プロトコル変換）する装置である。すなわち、プロトコル変換部は、監視システム等のローカルネットワークにおける障壁（例えばルータ等）を超えて、監視システム１１と携帯電話機１２との間における双方向通信を可能とするものであればよい。
【０１２４】
プロキシサーバを有するＶＰＮを介して通信を行うことにより、トンネリング接続と、ＶＰＮ専用ＩＰとによってＮＡＴ配下の監視システムへダイレクトに接続することが可能となり、いわゆる「ＮＡＴ越え」が可能となる。これにより、監視システム１１と携帯電話機１２との間でのメールの送受信が可能となる。
【０１２５】
また、ＶＰＮを用いた通信では、通信パケットを暗号化した通信が行われている。例えば、監視システム１１と携帯電話機１２間の通信は、ＳＳＬにより暗号化される。これにより、安全な通信を確立することができる。また、管理上好ましくないアクセスを直ちにシャットダウンすることも可能である。
【０１２６】
さらに、例えば、グローバルＩＰをＶＰＮのＩＰとして端末に付与することにより、ＶＰＮのネットワークに接続されていない、一般のインターネット上の端末からもダイレクトに接続できる。
【０１２７】
なお、本実施の形態に係るセキュリティシステム１では、セキュリティシステム１の設定や異常が発生した場合の異常通知等、監視システム１１と携帯電話機１２との通信をメールにて行っているが、これに限定されるものではない。例えば、オリジナルの通信を使用し、設定や異常通知を行うことができるアプリケーションを用いて、設定の確認・変更や、異常が発生した際の通知を、このアプリケーションを用いて行ってもよい。
【０１２８】
さらに、上記アプリケーションには、携帯電話機１２に対して異常が通知された場合に、異常が伝えられたという確認を行う機能を付与してもよく、この場合、異常通知がユーザに届いたことを確認することができる。また、上記アプリケーションを用いた場合には、オリジナルの通信を使用しており、監視システム１１のメインコントローラ２５と携帯電話機１２とが常時接続された状態となっているため、携帯電話機１２が通信可能な状態であるか否かを確認する機能としても使用することができる。
【０１２９】
さらに、本実施の形態にかかるセキュリティシステム１では、携帯電話機１２から、当該セキュリティシステム１に接続された管理領域内の各種家電機器４１…を遠隔操作することができる。すなわち、携帯電話機１２を用いて、エアコン４１ａなどの電源をＯＮ／ＯＦＦすることができる。
【０１３０】
〔Ａ−３：携帯電話機〕
上記携帯電話機１２は、外部ネットワーク１３にケーブル等で接続された基地局に対して電波の送受信により通信している。すなわち、携帯電話機１２は、基地局を介して外部ネットワーク１３に接続されており、これにより監視システム１３と通信可能に接続されている。
【０１３１】
なお、本発明のセキュリティシステム１に用いられる携帯電話機１２としては、インターネットに接続可能であり、メール機能を有する携帯電話機１２であればよい。また、監視システム１１と通信をアプリケーションにて行う場合には、対応するアプリケーションソフトが格納されている携帯電話機１２であればよい。
【０１３２】
〔Ｂ：セキュリティシステムの設定〕
次に、上記セキュリティシステム１の設定・登録について図１０ないし図１７に基づいて説明する。図１０ないし図１７は、セキュリティシステム１の各種設定・登録を行う際の流れ（データの送受信）を示すブロック図である。
【０１３３】
上記セキュリティシステム１の使用開始時にはメインコントローラ２５の初期設定を行う。図１０に示すように、この初期設定は、携帯電話機１２を用いて行われる。まず、セキュリティシステム１購入時に添付されているマニュアルに記載されたアドレスにアクセスする（設定（１））。すると、マニュアルに記載されたＩＤおよびパスワードを入力する画面が携帯電話機１２に表示される。そして、マニュアルに記載されたＩＤおよびパスワードを入力してログインする（設定（２））。これにより、携帯電話機１２には新しいパスワードとメールアドレスを登録する画面が表示される。
【０１３４】
この画面にて新しいパスワードとメールアドレスを入力し設定ボタンを押すと、パスワードおよびメールアドレスに関するデータがメインコントローラ２５に送信され、これらパスワードおよびメールアドレスが登録される（設定（３））。これにより、メインコントローラ２５の初期設定が完了する。また、メインコントローラ２５の初期設定が完了すると、メインコントローラ２５から携帯電話機１２に対して、初期設定が完了した旨の通知が行われる（通知（４））。なお、上記ＩＤやパスワードの入力に誤りがある場合には、エラーが表示され、再入力するための画面を選択するメニューを表示させてもよい。
【０１３５】
次に、各センサ２１やカメラ２３をメインコントローラ２５に認識させるための登録を行う。各センサ２１、カメラ２３、メインコントローラ２５には登録ボタンが設けられており、この登録ボタンを用いて登録が行われる。
【０１３６】
具体的には、上記にて初期設定が完了したメインコントローラ２５の登録ボタンを押すと、メインコントローラ２５は一定時間（例えば３０秒間）登録モード状態になる。一方、カメラ２３やセンサ２１に設けられた登録ボタンを押すと、登録ボタンを押したカメラ２３やセンサ２１から登録コマンドが送信される。
【０１３７】
ここで、センサ２１の登録について図１１に基づいて説明する。まず、メインコントローラ２５の初期設定を行った後に、メインコントローラ２５を登録モード状態にする（設定（５））。そして、メインコントローラ２５が登録モード状態の間に、センサ２１の登録ボタンを押す。すると、登録ボタンを押したセンサ２１に関する登録コマンドがメインコントローラ２５に送信される（登録（６））。メインコントローラ２５は、登録モード状態の間に登録コマンドを受信すると、対応するセンサ２１を登録する。そして、メインコントローラ２５は、センサ２１を登録すると、その旨を示すデータを携帯電話機１２に送信する。携帯電話機１２は、センサ２１の登録が完了した旨を表示することによりユーザに通知する（通知（７））。
【０１３８】
なお、家電コントローラ３１についても、上述のセンサ２１の登録と同様の操作を行うことによって登録を行うことができる。
【０１３９】
次に、カメラ２３の登録について図１２に基づいて説明する。まず、メインコントローラ２５の初期設定を行った後に、メインコントローラ２５を登録モード状態にする（設定（８））。そして、メインコントローラ２５が登録モード状態の間に、カメラ２３の登録ボタンを押す。すると、カメラ２３からメインコントローラ２５に対して特定小電力無線によって登録コマンドが送信される（登録（９））。メインコントローラ２５は、登録モード状態の間にカメラ２３の登録コマンドを受信すると、無線ＬＡＮの設定に必要なデータを特定小電力無線によってカメラ２３に送信する（設定（１０））。
【０１４０】
カメラ２３は、無線ＬＡＮの設定に必要なデータを受信すると、自装置の無線ＬＡＮの設定を行う。そして、カメラ２３は、無線ＬＡＮの設定を完了すると、無線ＬＡＮの設定が完了した旨の通知を特定小電力無線によってメインコントローラ２５に送信する（通知（１１））。メインコントローラ２５は、カメラ２３から設定完了の通知を受信すると、無線ＬＡＮによって通信が正常に行われているか否かを確認する通信（ＰＩＮＧ）を行う（確認（１２））。メインコントローラ２５は、カメラ２３との通信が正常に行われていることを確認すると、このカメラ２３を登録する。そして、メインコントローラ２５は、カメラ２３の登録が完了した旨を示すデータを携帯電話機１２に送信する。携帯電話機１２は、カメラ２３の登録が完了した旨を表示することによりユーザに通知する（通知（１３））。
【０１４１】
なお、本実施の形態では、メインコントローラ２５を登録モード状態にするために、メインコントローラ２５に設けられた登録ボタンを押しているが、これに限定されるものではない。例えば、携帯電話機１２から、メインコントローラ２５に対して、登録モード状態に移行させるためのコマンドを送信し、メインコントローラ２５はこのコマンドを受信することで登録モード状態に移行するようになっていてもよい。
【０１４２】
また、メインコントローラ２５が通常モード状態（登録モード状態でない場合）で、カメラ２３やセンサ２１の登録ボタンを押した場合においても、メインコントローラ２５には登録コマンドが送信される。ただし、この場合には、メインコントローラ２５は、カメラ２３やセンサ２１の登録を行うのではなく、受信した登録コマンドに基づいて、カメラ２３やセンサ２１からメインコントローラ２５に対する無線通信が正常に行われているかを確認するようになっている。すなわち、メインコントローラ２５は、無線受信確認機能を有している。メインコントローラ２５は、無線通信が正常に行われていることを確認すると、登録されたメールアドレスに対してその旨の通知メールを送信する。
【０１４３】
次に、セキュリティシステム１の各種設定を行う。この各種設定は、登録した携帯電話機１２を用いて、予め決められたアドレスにアクセスして、本セキュリティシステム１に係るメニューを表示させて行われる。上記メニューには、例えばセキュリティ設定、登録情報設定等がある。
【０１４４】
〔Ｂ−１：セキュリティ設定〕
セキュリティ設定は、ホームセキュリティの具体的な設定に関するものであり、例えば、警戒状態の設定、アクチュエータやカメラの設定に関するものである。
【０１４５】
（警戒設定）
警戒設定は、セキュリティシステムの警戒状態を設定するメニューである。本実施の形態では、警戒状態を示すモードとして、警戒モードおよび非警戒モードがあり、警戒モードには外出モードおよび在宅モードがある。
【０１４６】
非警戒モードとは、セキュリティシステムを非警戒の状態にするモードである。非警戒の状態とは、セキュリティシステムが警戒を解除した状態を指し、センサが状態の変化を検知しても警報として出力されることのない状態を指す。
【０１４７】
また、警戒モードとは、セキュリティシステムを警戒の状態にするモードである。警戒の状態とは、セキュリティシステムが警戒に入った状態を指し、センサが状態の変化（異常）を検知すると警報を出力できる状態を指す。
【０１４８】
また、外出モードとは、全てのセンサを警戒の状態にするモードである。また、在宅モードとは、家屋内に人が存在するものの、不審者等が家屋内部へ侵入することを検知したい場合に用いられるモードである。すなわち、在宅モードは、非警戒モードと外出モードとの中間のセキュリティ状態である。すなわち、在宅モードまたは外出モードを選択した場合には、セキュリティシステムは警戒の状態となる。
【０１４９】
次に、セキュリティシステム１の警戒設定を行う方法について図１３に基づいて説明する。まず、登録された携帯電話機１２を用いてメインコントローラ２５にアクセスする（設定（１４））。すると、ＩＤおよび初期設定で登録したパスワードを入力するログイン画面が表示される。なお、システムメンテナンスメッセージ等の通知がある場合には、その旨の通知をログイン画面に表示させてもよい。
【０１５０】
そして、ＩＤおよびパスワードを入力してログインする（設定（１５））と、メインメニューの画面が表示される。なお、登録したパスワードを忘れてしまった場合を考慮して、パスワードを通知するメニューを設けてもよい。この場合には、パスワードを通知するメニューを選択すると、ＩＤを入力する画面が表示され、正しいＩＤを入力した場合には、登録したメールアドレスに登録したパスワードを通知するようにすればよい。そして、その後にログイン画面を表示させればよい。
【０１５１】
メインメニューには、ホームセキュリティにアクセスするためのメニューと、登録された設定の変更・追加メニューにアクセスするためのメニュー（登録情報設定）とが表示される。また、セキュリティシステム１のユーザに対して必ず知らせる必要のある情報（例えば、電池残量の低下警告等）がある場合には、メインメニューに表示させることが好ましい。
【０１５２】
メインメニューにて、ホームセキュリティにアクセスするためのメニューを選択すると、ホームセキュリティに関する設定メニューの画面が表示される。設定メニューの画面には、現在の警戒状態が表示される。警戒モードを変更する場合には、メインメニューにて他の警戒モード（「外出モード」「在宅モード」「警戒解除」のうち、現在設定されていない警戒モードの何れか）を選択する（設定（１６））。これにより、変更後の警戒状態を選択した旨の表示がされると共に、設定メニュー画面には、新たな設定が現在の警戒状態として表示される（通知（１７））。このようにして、警戒状態を変更・設定することができる。
【０１５３】
なお、警戒状態を変更した場合には、変更後の警戒状態について携帯電話機１２に表示されるようになっているが、警戒状態が変更された旨のメールをメインコントローラ２５から携帯電話機１２に送信してもよい。
【０１５４】
また、メインメニューにて、アクチュエータ２２の設定画面にアクセスするためのメニューを選択すると、アクチュエータ設定画面が表示される。また、メインメニューにて、カメラ２３の設定画面にアクセスするためのメニューを選択すると、カメラの設定画面や、カメラにて撮影した画像を表示させる画面が表示される。さらに、メインメニューにて家電コントローラ３１の設定画面にアクセスするためのメニューを選択すると、家電コントローラおよび家電機器の設定画面が表示される。
【０１５５】
（アクチュエータ設定）
アクチュエータ設定は、アクチュエータ２２に関する設定を行うメニューであり、例えば、異常の有無に関わらず、強制的にアクチュエータ２２を駆動させるといった設定がある。また、この場合、駆動させる時間等を設定することもできる。メインメニューにて、アクチュエータ２２の設定画面にアクセスするためのメニューを選択すると、アクチュエータ設定画面が表示される。
【０１５６】
なお、警戒モードを選択している場合において、異常が発生した場合に駆動させるアクチュエータ２２に関する設定を行ってもよい。例えば、いずれのセンサが異常を検知した場合に、いずれのアクチュエータ２２を駆動させるかといった設定や、駆動時間の設定、音や光の強度の設定等を行うことができる。
【０１５７】
（カメラ設定）
カメラ設定とは、カメラ２３に関する設定を行うメニューであり、カメラ２３にて撮影した画像を見るためのメニューである。カメラ２３に関する設定としては、例えば撮影設定、画像更新設定、画像履歴設定等がある。
【０１５８】
メインメニューにて、カメラ２３の設定画面にアクセスするためのメニューを選択すると、登録されているカメラ２３を選択する画面が表示される。ここで、登録されたカメラ２３を選択すると（登録されたカメラが複数ある場合には、そのいずれかを選択すると）、選択したカメラ２３が撮影した画像にアクセスして見ることができる。また、カメラ２３の設定画面にて、撮影する解像度や照明のＯＮ／ＯＦＦといった設定を行うこともできる。
【０１５９】
なお、上記撮影設定とは、カメラ２３での撮影に関する設定であり、撮影設定の項目としては、例えば、撮影枚数（静止画の場合）、撮影時間（動画の場合）、撮影角度（パン／チルト機能がある場合）等がある。
【０１６０】
また、異常発生時に撮影した画像データに対して所定の加工を施す場合には、その旨の設定を行うことができる。例えば、不審者の侵入等による異常が発生した場合には、不審者の顔を検出して拡大表示するといった加工を施すように設定してもよい。また、異常発生時ではなくとも、カメラ２３にてセキュリティ領域の画像を撮影したい場合には、撮影設定にて撮影指示を行えば撮影することができる。
【０１６１】
画像更新設定は、カメラ２３にて撮影した画像の更新に関する設定である。例えば、一定間隔で撮影するようにカメラ２３を設定している場合には、その間隔を設定してもよい。また、この設定は手動で行うことができる。
【０１６２】
カメラ２３にて撮影した画像は、メインコントローラ２５の記憶装置に記憶させておくことが可能である。画像履歴設定では、過去に撮影した画像のうち、記憶させておく画像の種類や、期間等を設定することもできる。
【０１６３】
なお、メインメニューからカメラ２３にアクセスして撮影を行い、撮影した画像を携帯電話機１２に送信して表示させることも可能である。この方法について図１４に基づいて説明する。
【０１６４】
まず、ログイン画面にてＩＤおよびパスワードを入力してメインメニューを表示させる（設定（１８）（１９））。次に、メインメニューにて、カメラ２３による画像を撮影するためのメニューを選択する（設定（２０））。このメニューから、カメラ２３を起動させて、画像を撮影する旨の指示を行う。これにより、メインコントローラ２５からカメラ２３に起動信号が送信されると共に、画像を撮影する旨の指示信号が送信される（起動（２１））。この起動信号および指示信号は、特定小電力無線を用いて送信される。
【０１６５】
カメラ２３は、起動信号および指示信号を受信すると、自装置を起動させて所定の画像を撮影する。そして、撮影した画像データをメインコントローラ２５に対して送信する（転送（２２））。この画像データは、無線ＬＡＮを用いて送信される。画像データを受信したメインコントローラ２５は、携帯電話機１２に対してネットワークを介して画像データを送信する（転送（２３））。これにより、ユーザは、携帯電話機１２にて撮影を指示した画像を見ることが可能となる。
【０１６６】
〔Ｂ−２：登録情報設定〕
登録情報設定は、セキュリティシステム１の登録情報の設定変更に関するものである。設定変更について図１５に基づいて説明する。まず、ログイン画面にてＩＤおよびパスワードを入力してメインメニューを表示させる（設定（２４）（２５））。そして、メインメニューにて登録情報設定を表示させるメニューを選択することにより登録情報設定のメニューが表示される（設定（２６））。登録情報設定のメニューから設定できる内容としては、例えば、センサの動作履歴、時刻合わせ、メールアドレスの設定、ソフトウエアの更新、ユニットの管理、パスワードの変更、アクチュエータの設定等がある。また、上記各種設定や設定変更が完了した場合には、メインコントローラ２５から携帯電話機１２に対して設定（変更）完了が通知される（通知（２７））。
【０１６７】
登録情報設定のメニューにおいて、センサ２１の動作履歴に関するメニューを選択すると、センサ２１の動作履歴が表示される。このように、本実施の形態におけるセキュリティシステム１は、メインコントローラ２５の記憶装置に過去のセンサ２１の動作履歴（異常の履歴）に関する情報（異常履歴情報）を記憶していてもよい。表示されるセンサ２１の動作履歴としては、例えば、動作した日時、動作したセンサ、検知内容等である。また、表示するセンサ２１の動作履歴の件数は適宜設定できる。さらに、最新の動作履歴から表示したり、古い動作履歴から表示したりしてもよい。また、センサ２１の動作と共にカメラ２３による撮影が行われた場合には、対応する画像データを確認することができるようになっていてもよい。
【０１６８】
登録情報設定のメニューにおいて、時刻合わせに関するメニューを選択すると、時刻設定の画面が表示される。また、この画面では、現在の自動更新に関する情報を表示することもでき、自動更新のＯＮ／ＯＦＦを変更することもできる。また、この時刻設定の画面において、自動的に時刻を設定するメニューを選択すると、ネットワーク上の時計サーバや他のデータに付加された時計を参照して自動的に時刻を設定するようになっている。さらに、時刻設定の画面において、手動で時刻を設定するメニューを選択すると、時刻設定用の画面が表示され、手動で時刻を設定することができる。
【０１６９】
登録情報設定のメニューにおいて、メールアドレスの設定に関するメニューを選択すると、メールアドレスの各種設定を変更可能なメニューが表示される。このメールアドレス設定のメニューでは、メールアドレスの追加・削除・変更を行うことができる。メールアドレス設定のメニューにて「追加」を選択することにより、追加するメールアドレスを登録することができる。また、メールアドレス設定のメニューにて「変更」を選択すると、登録されているメールアドレスが表示される。この中から変更するメールアドレスを選択してメールアドレスを変更することができる。また、メールアドレス設定のメニューにて「削除」を選択すると、登録されているメールアドレスが表示される。この登録されているメールアドレスの中から削除するメールアドレスを選択し削除することができる。
【０１７０】
登録情報設定のメニューにおいて、ソフトウエア更新に関するメニューを選択すると、ソフトウエアを更新可能な画面が表示される。この画面にて「更新する」旨のメニューを選択すると、インターネットに接続してソフトウエアを更新する。ソフトウエアの更新が完了すると、ソフトウエアの更新が完了した旨を通知するための画面が表示される。なお、ソフトウエアの更新の必要がない場合には、「更新する」旨のメニューを選択しても、更新すべきソフトウエアがない旨表示され、更新は行われない。
【０１７１】
登録情報設定のメニューにおいて、ユニットの管理に関するメニューを選択すると、ユニットを管理するためのメニューが表示される。このユニットを管理するためのメニューでは、例えば、登録されているユニット（センサ２１、カメラ２３、アクチュエータ２２、家電コントローラ３１等）の一覧を表示させる。また、ユニットの一覧を表示させ、その中でセキュリティシステム１として登録するユニットを適宜選択することもできる。また、ユニットの一覧から、任意のユニットを選択し、このユニットの名称を変更することもできる。また、ユニットの一覧から、任意のユニットを選択して、ユニットから削除することもできる。
【０１７２】
登録情報設定のメニューにおいて、パスワード変更に関するメニューを選択すると、パスワードの変更メニューが表示される。この変更メニューの画面にて、現在のパスワードと新しいパスワードとを入力することによりパスワードを変更することができる。また、パスワードが変更されると、パスワードが変更された旨の画面が携帯電話機１２に表示され確認できる。
【０１７３】
また、登録情報設定のメニューにおいて、アクチュエータの設定に関するメニューを選択すると、登録されているアクチュエータ２２の駆動設定（ＯＮ／ＯＦＦ）および駆動時間を設定する画面が表示され、適宜設定することができる。
【０１７４】
なお、上記各操作中に何らかのエラーが発生した場合には、エラーを示す画面が携帯電話に表示される。また、セキュリティシステム１のサービス利用を停止する際には、サービス利用停止用の画面にてパスワードを入力すればよい。
【０１７５】
〔Ｃ：家電コントローラを用いた家電機器の制御方法〕
続いて、本実施の形態にかかるセキュリティシステム１において、家電コントローラ３１を用いて各種家電機器４１…を制御する方法について説明する。
【０１７６】
本実施の形態にかかる家電コントローラ３１の利用については、例えば、セキュリティ管理領域内に部外者が進入した場合に家電機器の電源をＯＮするなどして部外者を威嚇するための利用、あるいは、携帯電話機１２によって家電機器を遠隔操作するための利用などが挙げられる。
【０１７７】
まず、部外者を威嚇するために家電コントローラ３１を利用する場合の家電機器の制御方法について、図１６を用いて説明する。
【０１７８】
管理領域内に部外者が侵入すると、ドップラーセンサあるいは振動センサなどを有するセンサ部２１が部外者の侵入による物体移動あるいは振動を検知して、異常が発生した旨の通知をメインコントローラ２５に対して行う（異常コマンドを送信する）（通知（２８））。メインコントローラ２５では、異常コマンドを受信すると、登録・設定されている家電コントローラ３１に対して、威嚇のために照明４１ｂおよび／またはテレビ４１ｃの電源をＯＮする旨の指示情報を送信する。（電源ＯＮ（２９））。また、メインコントローラ２５は、異常コマンドを受信すると、携帯電話機１２に対して異常通知メールを送信する（通知（３０））。異常通知メールでは、異常であること、異常の種類、異常を検知したセンサの種類、異常が発生した時間等が通知される。この異常通知メールの送信は、上記アクチュエータ２２への駆動信号の送信と同時に行われることが好ましい。
【０１７９】
また、必要に応じて、携帯電話機１２からメインコントローラ２５に対して、アクチュエータ２２を起動させたり、他の家電機器を動作させたりする旨の制御コマンドを送信することもできる（制御（３１））。
【０１８０】
家電コントローラ３１では、特定小電力通信部３２が上記指示情報を受信すると、内部制御部３３へ送信する。内部制御部３３内の赤外線照射指示部３８は、この指示情報に基づいて、該当する家電機器（この場合は、照明４１ｂおよび／またはテレビ４１ｃ）の識別情報と、その動作内容に関する情報（この場合は、電源をＯＮする旨の情報）とを含む指示情報を赤外線照射部３４へ送信する。赤外線照射部３４では、この指示情報に基づいて、該当する家電機器（この場合は、照明４１ｂおよび／またはテレビ４１ｃ）に対して赤外線を照射して、これらの電源をＯＮする。
【０１８１】
このような手順で処理が行われることによって、セキュリティシステム１の管理領域では、部外者が侵入した場合に家電機器の電源をＯＮすることによって部外者を威嚇したり、その行動が監視されているということを知らせたりすることができる。
【０１８２】
続いて、携帯電話機１２によって家電機器を遠隔操作する場合の家電機器の制御方法について、図１７を用いて説明する。
【０１８３】
まず、携帯電話機１２の表示部に表示されるメニュー画面において、家電機器の制御を行うための設定画面にアクセスするためのメニューを選択すると、携帯電話機１２にこの設定画面が表示される。ここで、例えば、エアコンの電源をＯＮする場合には、上記設定画面において表示される、「エアコンを  ［４］ＯＮにする」旨のボタンを選択する。これによって、携帯電話機１２からメインコントローラ２５へは、エアコン４１ａの識別情報と、エアコン４１ａの電源をＯＮするという内容の情報とを含む指示情報が送信される（制御（３２））。メインコントローラ２５は、この指示情報を家電コントローラ３１へ送信する（電源ＯＮ（３３））。
【０１８４】
家電コントローラ３１では、特定小電力通信部３２が上記指示情報を受信すると、内部制御部３３へ送信する。内部制御部３３内の赤外線照射指示部３８は、この指示情報に基づいて、該当する家電機器（この場合は、エアコン４１ａ）の識別情報と、その動作内容に関する情報（この場合は、電源をＯＮする旨の情報）とを含む指示情報を赤外線照射部３４へ送信する。赤外線照射部３４では、この指示情報に基づいて、該当する家電機器（この場合は、エアコン４１ａ）に対して赤外線を照射して、これらの電源をＯＮする。
【０１８５】
その後、エアコン４１ａの電源がＯＮすることによって室内の温度が変化すると、家電コントローラ３１は、温度センサ３５が検知した温度変化を基に、各種家電機器４１が正常に動作している旨の信号（フィードバック信号）をメインコントローラ２５に対して送信する（フィードバック（３４））。メインコントローラ２５は、受信したフィードバック信号に基づいて、携帯電話機１２にエアコン４１ａが正常に動作した旨の通知を行う（通知（３５））。なお、上記フィードバック信号は、単に、赤外線照射部３４が該当する家電機器に対して正常に赤外線を照射したことを示す信号であってもよい。
【０１８６】
このような手順で処理が行われることによって、セキュリティシステム１の管理領域においては、例えば、帰宅する前に外部からの操作により家のエアコンの電源をＯＮすることができる。また、本実施の形態で例示した以外に、給湯器などを家電コントローラと接続させることによって、家に帰る前に風呂の湯を沸かすことも可能となる。
【０１８７】
さらに、上記のような利用方法以外に、毎日一定の時間になるとあたかも家に人がいるように見せかけるために、家電コントローラ３１が照明４１ｂの電源をＯＮ／ＯＦＦさせるように制御するという、セキュリティを目的とした利用方法も可能である。
【０１８８】
以上のように、本実施の形態にかかるセキュリティシステム１によれば、上述の各利用方法を組み合わせることによって、防犯効果に加えて快適さも得ることができる。
【０１８９】
また、本発明にかかる家電コントローラ３１を利用することによって、省エネを考慮した家電機器の制御を行うこともできる。例えば、家電コントローラ３１に、人を検知するセンサを取り付けておくことによって、誰も人がいない部屋のエアコンを消すように制御することも可能となる。
【０１９０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１９１】
最後に、家電コントローラ３１の各ブロック、特に内部制御部は、ハードウェアロジックによって構成してもよいし、次のようにＣＰＵを用いてソフトウェアによって実現してもよい。
【０１９２】
すなわち、家電コントローラ３１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである家電コントローラ３１の制御プログラムのプログラムコード（実行形式プログラム、中間コードプログラム、ソースプログラム）をコンピュータで読み取り可能に記録した記録媒体を、上記家電コントローラ３１に供給し、そのコンピュータ（またはＣＰＵやＭＰＵ）が記録媒体に記録されているプログラムコードを読み出し実行することによっても、達成可能である。
【０１９３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１９４】
また、家電コントローラ３１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１９５】
本発明によれば、無線通信を利用したセキュリティシステムにおいて、電気機器と主制御装置との情報通信を円滑に行い、電気機器を確実に制御することができる。したがって、本発明は、携帯電話機から各種家電機器を遠隔操作したり、管理領域内に部外者が侵入した場合に当該家電機器を用いて部外者に対して威嚇を行ったりするという、ホームセキュリティの分野に特に好適である。
【図面の簡単な説明】
【０１９６】
【図１】本発明の実施の一形態を示すものであり、家電制御部の要部構成を示すブロック図である。
【図２】本発明の実施の一形態を示すものであり、セキュリティシステムの要部構成を示す概略図である。
【図３】本発明の実施の一形態を示すものであり、監視システムの要部構成を示すブロック図である。
【図４】本発明の実施の一形態を示すものであり、センサ部の要部構成を示すブロック図である。
【図５】本発明の実施の一形態を示すものであり、カメラ部の要部構成を示すブロック図である。
【図６】本発明の実施の一形態を示すものであり、アクチュエータ部の要部構成を示すブロック図である。
【図７】本発明の実施の一形態を示すものであり、メインコントローラの要部構成を示すブロック図である。
【図８】図１に示す家電制御部を構成する家電コントローラの外観を示す斜視図である。
【図９】図８に示す家電コントローラに設けられた操作部の構成を示す模式図である。
【図１０】本発明の実施の一形態を示すものであり、セキュリティシステムの各種設定・登録を行う際の流れ（データの送受信）を示すブロック図である。
【図１１】本発明の実施の一形態を示すものであり、セキュリティシステムの各種設定・登録を行う際の流れ（データの送受信）を示すブロック図である。
【図１２】本発明の実施の一形態を示すものであり、セキュリティシステムの各種設定・登録を行う際の流れ（データの送受信）を示すブロック図である。
【図１３】本発明の実施の一形態を示すものであり、セキュリティシステムの各種設定・登録を行う際の流れ（データの送受信）を示すブロック図である。
【図１４】本発明の実施の一形態を示すものであり、セキュリティシステムの各種設定・登録を行う際の流れ（データの送受信）を示すブロック図である。
【図１５】本発明の実施の一形態を示すものであり、セキュリティシステムの各種設定・登録を行う際の流れ（データの送受信）を示すブロック図である。
【図１６】本発明の実施の一形態を示すものであり、セキュリティシステムの各種設定・登録を行う際の流れ（データの送受信）を示すブロック図である。
【図１７】本発明の実施の一形態を示すものであり、セキュリティシステムの各種設定・登録を行う際の流れ（データの送受信）を示すブロック図である。
【符号の説明】
【０１９７】
１    セキュリティシステム（管理システム）
１２    携帯電話機（通信端末）
１３    インターネット（外部ネットワーク）
２４    家電制御部
２５    メインコントローラ（主制御装置）
３２    特定小電力通信部（通信手段）
３３    内部制御部
３４    赤外線照射部（赤外線照射手段）
３８    赤外線照射指示部（指示手段）
３５    温度センサ（温度検知手段）
３６    照度センサ（照度検知手段）
４１    家電機器（電気機器）
【図１】
2006245829.tif 000003
【図２】
2006245829.tif 000004
【図３】
2006245829.tif 000005
【図４】
2006245829.tif 000006
【図５】
2006245829.tif 000007
【図６】
2006245829.tif 000008
【図７】
2006245829.tif 000009
【図８】
2006245829.tif 000010
【図９】
2006245829.tif 000011
【図１０】
2006245829.tif 000012
【図１１】
2006245829.tif 000013
【図１２】
2006245829.tif 000014
【図１３】
2006245829.tif 000015
【図１４】
2006245829.tif 000016
【図１５】
2006245829.tif 000017
【図１６】
2006245829.tif 000018
【図１７】
2006245829.tif 000019